(57)【要約】【課題】使用環境に応じて宮を使い分けることができる宮付きベッドを提供することを課題とする。【解決手段】使用者の体を支える寝台部２と、該寝台部２の外縁部に設けられる宮３と、を備え、前記宮３は、前記寝台部２に対して引き起こされた引起姿勢と、前記寝台部に対して外側に倒された外倒姿勢とに姿勢変更可能な可動板部３０を有する。【選択図】図１
2019134878.tif 000002
【特許請求の範囲】
【請求項１】
使用者の体を支える寝台部と、該寝台部の外縁部に設けられる宮と、を備え、前記宮は、前記寝台部に対して引き起こされた引起姿勢と、前記寝台部に対して外側に倒された外倒姿勢とに姿勢変更可能な可動板部を有する、宮付きベッド。
【請求項２】
前記宮は、前記寝台部に設けられ且つ前記可動板部を回転可能に支持するベース部を有し、該ベース部は、前記寝台部の上面以下の位置で前記可動板部の下端部を回転可能に支持するように構成される、請求項１に記載の宮付きベッド。
【請求項３】
前記宮は、前記寝台部に設けられ且つ前記可動板部を回転可能に支持するベース部を有し、該ベース部には、前記外倒姿勢から前記引起姿勢に切り替えられた前記可動板部を収容するための収容凹部が形成されている、請求項１又は請求項２に記載の宮付きベッド。
【発明の詳細な説明】
【技術分野】
【０００１】
本発明は、物置等として使用する宮を備えた宮付きベッドに関する。
【背景技術】
【０００２】
従来から、物置や衝立等として用いられる宮を備えた宮付きベッドが種々提供されている。かかる宮付きベッドには、例えば、特許文献１のような、宮が折り畳み可能に構成されたものがある。
【０００３】
前記宮付きベッドは、使用者の体を受けるための載置枠と、該載置枠の周囲に設けられた宮とを備えている。
【０００４】
また、載置枠は、縦幅方向における寸法が横幅方向における寸法よりも大きくなるように構成されており、長手方向における中央部で折り畳み可能となっている。
【０００５】
より具体的に説明すると、載置枠は、長手方向における中央部を上方に引き上げるとともに、長手方向における両端部を該中央部よりも下方側に移動させながら互いに接近させることにより、二つ折り（山折り）にすることができるように構成されている。
【０００６】
宮は、載置枠上の寝具のずれを防止すべく、該載置枠の前記長手方向における一端部に立設された受け部と、該受け部の上端に設けられた立上げ部とを有する。また、立上げ部は、受け部から上方に向かって立ち上がった姿勢と、受け部に対して内側（載置枠の長手方向における内側）に倒された姿勢とに姿勢変更可能である。
【０００７】
前記宮付きベッドでは、載置枠が折り畳まれると、受け部と立上げ部とが該載置枠から外側（水平方向における外側）に飛び出すことになるが、立上げ部を受け部に対して内側に倒された姿勢に姿勢変更しておくことにより、宮（立上げ部）を嵩張らないようにすることができる。
【先行技術文献】
【特許文献】
【０００８】
【特許文献１】特開２００３−２５９９４０号公報
【発明の概要】
【発明が解決しようとする課題】
【０００９】
ところで、室内での宮付きベッドのレイアウトや、使用者の過ごし方等の使用環境によって宮に求められる使い方は様々であるが、その一方で、上記従来の宮付きベッドは、載置枠を展開して使用する場合においては、立上げ部を受け部に対して必ず立ち上げた姿勢にしておく必要があるため、宮を限られた使い方でしか利用することができなかった。
【００１０】
そこで、本発明は、使用環境に応じて宮を使い分けることができる宮付きベッドを提供することを課題とする。
【課題を解決するための手段】
【００１１】
本発明の宮付きベッドは、使用者の体を支える寝台部と、該寝台部の外縁部に設けられる宮と、を備え、前記宮は、前記寝台部に対して引き起こされた引起姿勢と、前記寝台部に対して外側に倒された外倒姿勢とに姿勢変更可能な可動板部を有する。
【００１２】
上記構成の宮付きベッドによれば、可動板部を引起姿勢に姿勢変更すれば、該可動板部を背もたれや衝立等として使用することができ、また、可動板部を外倒姿勢に姿勢変更すれば、該可動板部上を物置きとして使用することができるため、使用環境に応じて宮を使い分けることができる。
【００１３】
また、本発明の宮付きベッドにおいて、前記宮は、前記寝台部に設けられ且つ前記可動板部を回転可能に支持するベース部を有し、前記ベース部は、前記寝台部の上面以下の位置で前記可動板部の下端部を回転可能に支持するように構成される。
【００１４】
上記構成の宮付きベッドによれば、可動板部の下端部がベース部により回転可能に支持され、且つベース部による可動板部の下端部の支持位置が寝台部の上面以下であるため、可動板部を外倒姿勢に切り替えた際に、該可動板部が寝具の上方に飛び出さないようにすることができる。従って、前記宮付きベッドによれば、可動板部が使用者に与える圧迫感を抑えることができる。
【００１５】
前記ベース部には、前記外倒姿勢から前記引起姿勢に切り替えられた可動板部を収容するための収容凹部が形成されていてもよい。
【００１６】
かかる構成によれば、引起姿勢に切り替えられた可動板部をベース部の収容凹部内に収容することで可動板部への不用意な接触を防ぐことができる。
【発明の効果】
【００１７】
以上のように、本発明の宮付きベッドによれば、使用環境に応じて宮を使い分けることができるという優れた効果を奏し得る。
【図面の簡単な説明】
【００１８】
【図１】図１は、本発明の一実施形態に係る宮付きベッドの平面図である。
【図２】図２は、同実施形態に係る宮付きベッドの側面図である。
【図３】図３は、同実施形態に係る宮付きベッドの平面図であって、マットを除いた状態の平面図である。
【図４】図４は、閉じた状態の宮を縦幅方向における外側から見た図である。
【図５】図５は、図３のＶ−Ｖ線における断面の拡大図である。
【図６】図６は、図４のＶＩ−ＶＩ線における断面の拡大図である。
【図７】図７は、閉じた状態の宮を縦幅方向における外側から見た図である。
【図８】図８は、図７のＶＩＩＩ−ＶＩＩＩ線における断面の拡大図である。
【図９】図９は、同実施形態に係る宮付きベッドの側面図であって、寝台部を折り畳んだ状態の側面図である。
【発明を実施するための形態】
【００１９】
以下、本発明の一実施形態に係る宮付きベッドについて、添付図面を参照しつつ説明を行う。
【００２０】
なお、本実施形態では、宮付きベッドの縦幅に対応する方向を縦幅方向、宮付きベッドの横幅に対応する方向を横幅方向、宮付きベッドの高さに対応する方向を高さ方向、と称して以下の説明を行うこととする。
【００２１】
宮付きベッド１は、図１に示すように、使用者の体を支える寝台部２と、該寝台部２（本実施形態では寝台部２の外縁部）に設けられた宮３と、を備えている。
【００２２】
寝台部２は、床面上に載置される部分である。また、寝台部２の上面は、使用者の体を受ける受面となっている。
【００２３】
なお、寝台部２の受面は、使用者の体を直接的又は間接的に受けるように構成されていればよい。すなわち、寝台部２の受面に使用者が直接横たわったり座ったりしてもよいし、寝台部２の受面に敷布団等を敷いたうえで、使用者が横たわったり座ったりするようにしてもよい。
【００２４】
本実施形態に係る寝台部２は、図２に示すように、床面上に載置される載置台部４と、
載置台部４上に設けられたマット５と、を有する。
【００２５】
載置台部４は、受止領域に対応する外形の受台部４０と、該受台部４０を床面上に支持するための支持構造４１と、を有する。
【００２６】
受台部４０は、図３に示すように、平面視における外形が長方形状となるように構成されている。
【００２７】
より具体的に説明すると、受台部４０は、互いに平行に延びる一対の長辺部４００と、長辺部４００よりも短く、且つ該一対の長辺部４００のそれぞれの端部（縦幅方向で横並びに配置されている端部）に連続する一対の短辺部４０１と、を有する。
【００２８】
また、本実施形態に係る受台部４０では、一対の長辺部４００と一対の短辺部４０１とが角環状となるようにつながっている。
【００２９】
本実施形態に係る受台部４０は、自身の長手方向（縦幅方向に対応する方向）の中央部で折り畳み可能に構成されている。より具体的に説明すると、受台部４０は、長手方向における中央部を境とする一方側と他方側に配置される一対の分割台部４２と、該一対の分割台部４２を回転可能に連結する回転連結部４３とを有する。
【００３０】
なお、受台部４０に使用者が横たわっている状態においては、前記一方側に配置される分割台部４２が該使用者の上半身側に位置し、前記他方側に配置される分割台部４２が該使用者の下半身側に位置する。
【００３１】
分割台部４２は、前記縦幅方向において隣り合う分割台部４２に向けて配置される内端部と、前記縦幅方向において該内端部とは反対側に位置する外端部とを有する。
【００３２】
また、本実施形態に係る受台部４０は、上述のように、長手方向における中央部を境とする一方側と他方側とが分かれているため、長辺部４００が長手方向における中央部で分断された構造となっている。すなわち、長辺部４００は、同方向に延びる一対の分割辺部４００ａを有し、該一対の分割辺部４００ａは、それぞれの長手方向が同一直線状で並ぶように一列に配置されている。
【００３３】
また、分割辺部４００ａは、長手方向における一端部が回転連結部４３によって回転可能に連結されるとともに、長手方向における他端部が別々の短辺部４０１に連続している。
【００３４】
そのため、本実施形態の分割台部４２は、一つの短辺部４０１と、該短辺部４０１に連続する分割辺部４００ａ（各長辺部４００の一方の分割辺部４００ａ）とで構成されている。
【００３５】
回転連結部４３は、分割台部４２の内端部同士を回転可能に連結するように構成されている。これにより、本実施形態の寝台部２は、各分割台部４２の内端部（すなわち、受台部４０の長手方向における中央部）を上方に引き上げるとともに、各分割台部４２の外端部（すなわち、受台部４０の長手方向における両端部）を下方側に移動させながら互いに接近させることにより、受台部４０を二つ折にできるようになっている。なお、本実施形態では、一対の短辺部４０１のそれぞれと、後述する中央支持部との間に付勢部材（引っ張りばね）Ｓが接続されているため、各分割台部４２の内端部を上方に引き上げると、各分割台部４２の外端部が互いに接近する方向に付勢される。
【００３６】
支持構造４１は、図２に示すように、受台部４０の長手方向における両端部に設けられる一対の外側支持部４１０，４１１と、受台部４０の長手方向における中央部に設けられる中央支持部４１２とで構成されている。
【００３７】
一方の外側支持部４１０は、受台部４０の長手方向における一端側（具体的には、一方の分割台部４２の外端部側）から下方側に延出する外側脚部４１０ａと、該外側脚部４１０ａの先端に設けられた外側車輪部４１０ｂと、を備えている。
【００３８】
そして、一方の外側支持部４１０の外側脚部４１０ａは、受台部４０に固定されており、受台部４０に対して姿勢変更不能となっている。
【００３９】
なお、以下の説明において、一方の外側支持部４１０を第一の外側支持部４１０、一方の外側支持部４１０の外側脚部４１０ａを第一の外側脚部４１０ａ、一方の外側支持部４１０，４１１の外側車輪部４１０ｂを第一の外側車輪部４１０ｂ、と称して以下の説明を行うこととする。
【００４０】
他方の外側支持部４１１は、受台部４０の長手方向における他端側（具体的には、他方の分割台部４２の外端部側）から下方側に延出する外側脚部４１１ａと、該外側脚部４１０ａの先端に設けられた外側車輪部４１１ｂと、を備えている。
【００４１】
他方の外側支持部４１１の外側脚部４１０ａは、受台部４０に対して回転可能に連結されており、受台部４０に対して姿勢変更可能となっている。
【００４２】
なお、以下の説明において、他方の外側支持部４１１を第二の外側支持部４１１、他方の外側支持部４１１の外側脚部４１１ａを第二の外側脚部４１１ａ、他方の外側支持部４１０，４１１の外側車輪部４１１ｂを第二の外側車輪部４１１ｂ、と称して以下の説明を行うこととする。
【００４３】
中央支持部４１２は、受台部４０の中央部（具体的には回転連結部４３）から下方側に向かって延出している。
【００４４】
本実施形態に係る中央支持部４１２は、別々の回転連結部４３から下方側に向かって延びる一対の柱状支持部４１２ａと、該一対の柱状支持部４１２ａのそれぞれの先端（下端）につながる連設部４１２ｂ（図３参照）と、を有する。
【００４５】
マット５は、平面視において長方形状となるように構成されている。本実施形態に係るマット５は、前記縦幅方向で並べて配置される一対の分割マット５０を有する。各分割マット５０は、それぞれが別々の分割台部４２上に設けられている。
【００４６】
なお、マット５（分割マット５０）は、所定の厚みがあり、且つ弾力性を有するように構成されている。また、本実施形態では、載置台部４の上面がマット５（分割マット５０）の上面によって構成され、該マット５の上面が、使用者が直接横たわったり、敷きパッドを置いたりする寝台基準面となる。
【００４７】
宮３は、縦幅方向（受台部４０の長手方向）における一方側に配置される分割台部４２の外端部に設けられており、寝台部２上に横たわった使用者の頭部の外側（前記縦幅方向にける外側）に配置されるようになっている。
【００４８】
本実施形態に係る宮３は、図４に示すように、寝台部２に対して引き起こされた引起姿勢と、記寝台部２に対の外側に倒された外倒姿勢とに姿勢変更可能な可動板部３０と、寝台部２に設けられ且つ可動板部３０を回転可能に支持するベース部３１と、引起姿勢に切り替えられた可動板部３０の姿勢変更を規制可能な規制部３２と、を有する。
【００４９】
可動板部３０は、図５に示すように、平板状の可動板本体部３００と、該可動板本体部３００に設けられる可動側フレーム３０１と、を有する。
【００５０】
可動板本体部３００は、平板状である。また、可動板本体部３００の一方の板面（厚み方向における一方側の板面）は、該可動板部３０が引起姿勢に切り替えられると寝台部２側に向けて配置され、該可動板部３０が外倒姿勢に切り替えられると上方に向けて配置される。
【００５１】
一方、可動板本体部３００の他方の板面（厚み方向における他方側の板面）は、該可動板部３０が引起姿勢に切り替えられると寝台部２の外側に向けて配置され、該可動板部３０が外倒姿勢に切り替えられると下方に向けて配置される。
【００５２】
このように、可動板部３０では、可動板本体部３００の前記一方の板面が宮３としての機能を発揮する面となっている。
【００５３】
可動側フレーム３０１は、可動板本体部３００に固定される被固定部３０１ａと、該被固定部３０１ａをベース部３１に連結するための連結部３０１ｂとを有する。
【００５４】
被固定部３０１ａは、可動板本体部３００の前記一方の板面上に固定されている。また、被固定部３０１ａは、可動板部３０の外周縁部全周に沿って環状に形成されている。
【００５５】
連結部３０１ｂは、被固定部３０１ａから外方に延出するように形成されており、本実施形態では、被固定部３０１ａに対して一対の連結部３０１ｂが形成されている。また、一対の連結部３０１ｂは、可動板部３０の板幅方向において間隔をあけて並ぶように形成されている。
【００５６】
ベース部３１は、載置台部４に設けられるフレーム３１０と、可動板部３０をフレーム３１０に対して回転可能に支持するための回転支持部３１１と、フレーム３１０に対する可動板部３０の可動範囲を所定の範囲内に設定するためのガイド構造３１２と、を有する。
【００５７】
フレーム３１０は、可動板部３０の板幅方向における両側に配置され且つ高さ方向に沿って延びるように形成された一対のサイドフレーム部３１０ａと、該サイドフレーム部３１０ａのそれぞれに連続するアッパーフレーム部３１０ｂと、を有する。
【００５８】
一対のサイドフレーム部３１０ａのそれぞれの上端には、アッパーフレーム部３１０ｂが連続している。そのため、ベース部３１では、一対のサイドフレーム部３１０ａとアッパーフレーム部３１０ｂとで一つの凹部（以下、収容凹部と称する）３１０ｃが形成されており、該収容凹部３１０ｃには外倒姿勢から引起姿勢に切り替えられた可動板部３０が収容されるようになっている。
さらに、縦幅方向におけるサイドフレーム部３１０ａの外側には、補助輪Ｒが取り付けられている。かかる補助輪Ｒは、寝台部２を折り畳んだ際に、第一の外側車輪部４１０ｂ及び第二の外側車輪部４１１ｂとともに床面に接地するように構成されている。
【００５９】
なお、サイドフレーム部３１０ａの奥行き寸法（前記縦幅方向における厚み）、アッパーフレーム部３１０ｂの奥行き寸法（前記縦幅方向における厚み）は、可動板部３０の奥行き寸法以上となっていることが好ましい。
【００６０】
また、本実施形態では、フレーム３１０と第一の外側支持部４１０（より具体的には、サイドフレーム部３１０ａと第一の外側脚部４１０ａ）が一体的に形成されている。
【００６１】
回転支持部３１１は、軸状であり、可動板部３０の板幅方向（本実施形態では、横幅方向）において連結部３０１ｂと、サイドフレーム部３１０ａとに挿通されている。また、回転支持部３１１は、一対の連結部３０１ｂに対して一つずつ設けられている。
【００６２】
ガイド構造３１２は、図６に示すように、平板状であり、宮３（可動側フレーム３０１）とサイドフレーム部３１０ａとに連結されるガイドプレート３１２ａを備えている。
【００６３】
ガイドプレート３１２ａは、可動板部３０の回転周方向に合わせて湾曲した細長い形状となっている。そして、ガイドプレート３１２ａでは、長手方向における一端が宮３（可動側フレーム３０１）に対して回転可能に連結され、長手方向における他端がサイドフレーム３１０に対してスライド可能となるように連結されている。
【００６４】
ガイドプレート３１２ａの他端側には、可動板部３０の回転周方向と対応する方向で湾曲する長孔３１２ｂが形成されており、該長孔３１２ｂに対してガイド軸３１２ｃが挿通されている。また、ガイド軸３１２ｃ部は、サイドフレーム部３１０ａにも挿通された状態で固定されている。
【００６５】
規制部３２は、図４に示すように、ベース部３１に設けられ且つ引起姿勢の可動板本体部３００の前記他方の板面と重なる位置に配置されたロック状態と、該他方の板面から外れた位置に配置されたロック解除状態とに切替可能に構成されている。
【００６６】
より具体的に説明すると、規制部３２は、ベース部３１（ベース部３１のアッパーフレーム部３１０ｂ）に対して回転可能に設けられた回転操作部３２０と、該回転操作部３２０から外方に延出するロック用延出部３２１と、を有する。
【００６７】
本実施形態に係る宮付きベッド１の構成は、以上の通りである。続いて、本実施形態に係る宮付きベッド１の使い方について説明する。
【００６８】
宮３を開く場合は、規制部３２で可動板部３０の姿勢変更を規制している状態を解除する。本実施形態では、回転操作部３２０を回転させてロック用延出部３２１を可動板本体部３００の前記他方の板面から外れた位置に配置することによって、可動板部３０の姿勢変更に対する規制を解除する。
【００６９】
そして、収容凹部３１０ｃ内の可動板部３０を寝台部２の外側に倒す。このようにすると、図７、及び図８に示すように、可動板本体部３００の前記一方の板面が上方に向くため、該一方の板面上のスペースを物置等として使用することができる。
【００７０】
さらに、宮３を閉じる場合は、開いている可動板部３０を引き起こし、収容凹部３１０ｃ内に配置する。そして、規制部３２により可動板部３０の姿勢変更を規制する。本実施形態では、回転操作部３２０を回転させてロック用延出部３２１を可動板本体部３００の前記他方の板面と重なる位置に配置することによって、可動板部３０の姿勢変更を規制する。
【００７１】
このようにすると、図４、及び図６に示すように、可動板本体部３００の前記一方の板面が寝台部２の内側に向けられた状態で起立するため、該可動板部３０で寝台部２上と寝台部２の外側とを仕切ることができる。
【００７２】
なお、図９に示すように、寝台部２を折り畳む場合は、分割台部４２の外端部が床面に向けて配置されるが、可動板部３０を閉じていれば、該可動板部３０が床面に干渉することはない。
【００７３】
以上のように、本実施形態に係る宮付きベッド１によれば、宮３を閉じた状態、すなわち、可動板部３０を引起姿勢に姿勢変更すれば、該可動板部３０を背もたれや衝立等として使用することができ、また、宮３を開いた状態、すなわち、可動板部３０を外倒姿勢に姿勢変更すれば、該可動板部３０上を物置きとして使用することができるため、使用環境に応じて宮３を使い分けることができるという優れた効果を奏し得る。
【００７４】
また、可動板本体部３００の前記一方の板面には、外周縁部全周に沿って環状に形成された被固定部３０１ａが設けられているため、該被固定部３０１ａによって可動板本体部３００の前記一方の板面上に置いた物品等の落下を防止することができる。
【００７５】
さらに、本実施形態では、可動板部３０の下端部がベース部３１により回転可能に支持され、且つベース部３１による可動板部３０の下端部の支持位置（可動板部３０がベース部３１に回転可能に支持されている位置）が寝台部２の上面（寝台基準面）以下（本実施形態では、寝台部２の上面よりも下方側）に設定されているため、可動板部３０を外倒姿勢に切り替えた際に、該可動板部３０が寝具の上方に飛び出さないようにすることができる。従って、前記宮付きベッド１によれば、可動板部３０が使用者に与える圧迫感を抑えることができる。
【００７６】
特に、本実施形態では、寝台部２上に横たわった使用者の頭部側に位置する分割台部４２の外端部に宮３が設けられているため、使用者に圧迫感を与え難くする効果が高まる。
【００７７】
また、可動板部３０は、引起姿勢に姿勢変更された状態においては上端部がマット５の上面よりも上方側に配置されるため、使用者が寝台部２上から可動板部３０を操作して外倒姿勢に姿勢変更し易くすることができる（すなわち、宮３を開き易くすることができる）。
【００７８】
さらに、可動板部３０は、上端部がマット５の上面よりも上方側に配置されるとともに、上述のように下端部がマット５の上面よりも下方側に配置されているため、引起姿勢に姿勢変更した可動板部３０の下端とマット５の上面との間に隙間ができないようにして寝台部２上と寝台部２の外側とを仕切ることできる。
【００７９】
さらに、本実施形態では、外倒姿勢から引起姿勢に姿勢変更された可動板部３０がベース部３１の収容凹部３１０ｃ内に収容されるため、引起姿勢に姿勢変更された可動板部３０への不用意な接触を防ぐことができる。
【００８０】
また、受台部４０が折り畳まれている状態においては、可動板部３０が分割台部４２から外方（水平方向における外方）に向かって飛び出すが、該可動板部３０の周囲がベース部３１に取り囲まれているため、該可動板部３０への不用意な接触を防止することができる。
【００８１】
なお、本発明に係る宮付きベッドは、上記実施形態に限定されるものではなく、本発明の要旨を逸脱しない範囲内において種々の変更を加え得ることは勿論である。
【００８２】
上記実施形態では、寝台部２が折畳可能に構成されていたが、この構成に限定されない。例えば、寝台部２は、縦幅方向における一方側と他方側とが一体的に形成されており、折畳不能であってもよいし、縦幅方向における一方側と他方側とを分離できるように構成されていてもよい。
【００８３】
上記実施形態では、宮付きベッド１が移動式のものであったが、この構成に限定されない。例えば、宮付きベッド１は、据え置き式のものであってもよい。
【００８４】
上記実施形態では、受台部４０が支持構造４１により床面上に支持されていたがこの構成に限定されない。例えば、受台部４０は、床面上に直接置かれるように構成されていてもよい。
【００８５】
上記実施形態において、寝台部２の載置台部４には、マット５が設けられていたが、この構成に限定されない。例えば、載置台部４には、すのこや、金網、平板状のプレート等が設けられていてもよい。
【００８６】
上記実施形態において特に言及しなかったが、寝台部２は、マット５を引き起こし操作、及び押し倒し操作可能に構成されていてもよい。すなわち、寝台部２は、リクライニング機能を有するものであってもよい。
【００８７】
上記実施形態では、宮３が寝台部２に対して一体に設けられていたが、この構成に限定されない。例えば、宮３は、寝台部２に対して後付けされたものであってもよい。すなわち、宮３は、寝台部２とは別体で構成されていてもよい。
【００８８】
上記実施形態では、宮３が縦幅方向（受台部４０の長手方向）における一方側に配置される分割台部４２の外端部に設けられていたが、この構成に限定されない。例えば、宮３は、縦幅方向（受台部４０の長手方向）における他方側に配置される分割台部４２の外端部に設けられていてもよいし、前記一方側に配置される分割台部４２、若しくは前記他方側に配置される分割台部４２の横幅方向における側端部に設けられていてもよい。
【符号の説明】
【００８９】
１…ベッド、２…寝台部、３…宮、４…載置台部、５…マット、３０…可動板部、３１…ベース部、３２…規制部、４０…受台部、４１…支持構造、４２…分割台部、４３…回転連結部、５０…分割マット、３００…可動板本体部、３０１…可動側フレーム、３０１ａ…被固定部、３０１ｂ…連結部、３１０…フレーム、３１０ａ…サイドフレーム部、３１０ｂ…アッパーフレーム部、３１０ｃ…収容凹部、３１１…回転支持部、３１２…ガイド構造、３１２ａ…ガイドプレート、３１２ｂ…長孔、３１２ｃ…ガイド軸、３２０…回転操作部、３２１…ロック用延出部、４００…長辺部、４００ａ…分割辺部、４０１…短辺部、４１０…第一の外側支持部、４１０ａ…第一の外側脚部、４１０ｂ…第一の外側車輪部、４１１…第二の外側支持部、４１１ａ…第二の外側脚部、４１１ｂ…第二の外側車輪部、４１２…中央支持部、４１２ａ…柱状支持部、４１２ｂ…連設部、Ｒ…補助輪
【図１】
2019134878.tif 000003
【図２】
2019134878.tif 000004
【図３】
2019134878.tif 000005
【図４】
2019134878.tif 000006
【図５】
2019134878.tif 000007
【図６】
2019134878.tif 000008
【図７】
2019134878.tif 000009
【図８】
2019134878.tif 000010
【図９】
2019134878.tif 000011